(57)【要約】      （修正有）【課題】自動車前方の運転席と助手席、その間のコンソールボックスとそれら左右座席の間の２箇所の隙間（以下、「左右２箇所の隙間」という。）から、小物類が不用意に座席下に落下することを防止する。【解決手段】本パッドを「左右２箇所の隙間」に指先などで挿入する円筒形パッドの大きさは、大略、直径６センチメートル、長さ４５センチメートル程度である。【選択図】図８
0003137824.tif 000002
【実用新案登録請求の範囲】
【請求項１】
運転席および助手席と、その間のコンソールボックスとの間に隙間がある自動車前方座席の、これら左右２箇所の隙間（以下、「左右２箇所の隙間」という。）を埋めるための円筒形パッドで、これは織布、ニット布、皮革、人工皮革、合成樹脂シートなどを、縫合あるいは接合して製作した円筒形袋に、綿、パンヤ、スポンジなど柔軟性のある充填材を充填した、柔軟性と滑らかさのある円筒形パッドで、大きさは、大略、直径６センチメートル、長さ４５センチメートル程度で、この円筒形パッドは、同型のもの２個１組の構成で使用するが、座席やコンソールボックスの形状に凹凸があって隙間の形状が一定でない場合も、これら円筒形パッドを指先などで任意に挿入することで「左右２箇所の隙間」の大半を容易に埋めることができ、使用材料の柔軟性と滑らかさにより、これらは挿入後も座席位置調節移動を妨げることはなく、これら円筒形パッドで「左右２箇所の隙間」を埋めることで、小銭、鍵、小物類などがこれらの「左右２箇所の隙間」から不用意に座席下に落下する面倒を防止でき、安全運転にも資する。
【考案の詳細な説明】
【技術分野】
【０００１】  既に市販されている材料の組合せであり、技術上特に説明すべき難易点はない。
【背景技術】
【０００２】  前項〔０００１〕に同じ。
【考案が解決しようとする課題】
【０００３】  自動車前方座席の運転席および助手席と、その間のコンソールボックスとの間の左右２箇所の隙間（以下、「左右２箇所の隙間」という。）を、本考案の円筒形パッドを指先などで任意に挿入して埋めることで、小銭、鍵などの小物類がこの「左右２箇所の隙間」から不用意に座席下に落下する面倒を防止する。
【課題を解決するための手段】
【０００４】  前項〔０００３〕に記載の通りで、本考案を「左右２箇所の隙間」に挿入することで、この「左右２箇所か隙間」から小物類が座席下に不用意に落下する面倒を防止する。
【考案の効果】
【０００５】  前前項〔０００３〕、前項〔０００４〕に記載の通り。
【考案を実施するための最良の形態】
【０００６】  本考案円筒形パッドは２個１組で使用し、これらで「左右２箇所の隙間」を共に埋めることで、小物類が座席下へ不用意に落下する面倒を防止する。円筒形パッドの大略の大きさは、直径６センチメートル、長さ４５センチメートル程度である。円筒形パッドは、織布、ニット布、皮革、人工皮革、合成樹脂シートなどを、縫製あるいは接合などして作られた袋状のものに、綿、パンヤ、スポンジなど柔軟性のある充填材を充填したもので、柔軟性と滑らかさがあり「左右２箇所の隙間」の凹凸にも対応して指先などで容易に挿入でき、挿入後、座席位置を調節移動しても脱落することなく、安定して「左右２箇所の隙間」を埋めることができ、運転操作に支障はなく、外観上の違和感もない。
【実施例】
【０００７】  添付した写真により「左右２箇所の隙間」の運転席側での実施例を示す。。
「写真１」円筒形パッドを挿入していない隙間を示す。
「写真２」円筒形パッドを挿入している途中の状況を示す。
「写真３」隙間に円筒形パッドを挿入後の様子を示す。
【産業上の利用可能性】
【０００８】  本考案の円筒形パッドは、一般の自動車運転者、同乗者にとって、「左右２箇所の隙間」から小物類が座席下へ不用意に落下する面倒を防止するという、利便性と運転時の安全性の確保という点では、その効果は小さくはないが、これもその範囲に止まるもので、この他に本項で特記すべきことはない。
【図面の簡単な説明】
【０００９】
【図１】平面図である。
【図２】右側面図である。（左側面図も同じである。）
【図３】底面図である。
【図４】正面図である。（背面図も同じである。）
【図５】Ａ−ａ線で切断した断面図である。
【図６】Ｂ−ｂ線で切断した断面図である。
【図７】Ｃ−ｃで切断した断面図である。
【図８】斜視図である。
【符号の説明】
【００１０】特にない。
【図１】
0003137824.tif 000003
【図２】
0003137824.tif 000004
【図３】
0003137824.tif 000005
【図４】
0003137824.tif 000006
【図５】
0003137824.tif 000007
【図６】
0003137824.tif 000008
【図７】
0003137824.tif 000009
【図８】
0003137824.tif 000010
【手続補正書】
【提出日】平成19年9月4日(2007.9.4)
【手続補正１】
【補正対象書類名】実用新案登録請求の範囲
【補正対象項目名】全文
【補正方法】変更
【補正の内容】
【実用新案登録請求の範囲】
【請求項１】
これは織布あるいはニット布あるいは皮革あるいは人口皮革あるいは合成樹脂シートを、縫合して製作した円筒形袋に、綿あるいはパンヤあるいはラバースポンジあるいは合成樹脂スポンジなどの柔軟性のある充填材を充填した、柔軟性のある円筒形パッドで、大きさは、大略、直径６センチメートル、長さ４５センチメートル程度であり、これは運転席および助手席とその間のコンソールボックスとの間に左右２箇所の隙間がある自動車前方座席のこれら左右２箇所の隙間（以下、「左右２箇所の隙間」という。）を埋めるためのもので、このためこの円筒形パッドは同型のもの２個１組で使用するが、座席やコンソールボックスの形状に凹凸があって隙間の形状が一定でない場合も、その柔軟性により円筒形パッドは任意に挿入することができて「左右２箇所の隙間」を容易に埋めることができ、また、挿入後、座席位置調節移動を妨げることはなく、運転時も静止時も脱落することはなく、このため小銭、鍵、小物類が「左右２箇所の隙間」から不用意に座席下に落下する面倒を防止でき、ひいては安全運転にも資する自動車前方座席間の隙間を埋める円筒形パッドである。
【手続補正２】
【補正対象書類名】明細書
【補正対象項目名】０００９
【補正方法】変更
【補正の内容】
【０００９】
【図１】平面図である。
【図２】右側面図である。また、左側面図も、右側面図に同じである。
【図３】底面図である。
【図４】正面図である。また、背面図も、正面図に同じである。
【図５】Ａ−ａ線で切断した断面図である。
【図６】Ｂ−ｂ線で切断した断面図である。
【図７】Ｃ−ｃ線で切断した断面図である。
【図８】斜視図である。
【手続補正３】
【補正対象書類名】図面
【補正対象項目名】全図
【補正方法】変更
【補正の内容】
【図１】
0003137824.tif 000011
【図２】
0003137824.tif 000012
【図３】
0003137824.tif 000013
【図４】
0003137824.tif 000014
【図５】
0003137824.tif 000015
【図６】
0003137824.tif 000016
【図７】
0003137824.tif 000017
【図８】
0003137824.tif 000018